(57)【要約】【課題】熱源から外調機と室内機とに供給する熱媒体の総流量を低減して省エネルギー化を図ることができる空調システムを提供する。【解決手段】外調機１０と、室内機２０と、熱源３０から外調機１０と室内機２０とに並列状態で熱媒体Ｒを循環供給する循環供給路４０とが備えられ、外調機１０は、外気を冷却する冷却部１１を有し、熱源３０から供給される熱媒体Ｒを冷却部１１に通過させて熱源３０に戻すように構成され、外調機１０から熱源３０に戻す熱媒体Ｒの一部を、熱源３０から室内機２０に直接的に供給する熱媒体Ｒに合流させて室内機２０に供給する熱媒体合流部６０が備えられている。【選択図】図１
2019120464.tif 000002
【特許請求の範囲】
【請求項１】
外気を調整して室内に供給する外調機と、
室内空気を調整して室内に供給する室内機と、
熱源から前記外調機と前記室内機とに並列状態で熱媒体を循環供給する循環供給路とが備えられ、
前記外調機は、外気を冷却する冷却部を有し、前記循環供給路を通じて前記熱源から供給される熱媒体を前記冷却部に通過させて前記熱源に戻すように構成され、
前記外調機から前記熱源に戻す熱媒体の一部を、前記熱源から前記室内機に直接的に供給する熱媒体に合流させて前記室内機に供給する熱媒体合流部が備えられている空調システム。
【請求項２】
前記外調機は、前記冷却部にて冷却した外気を再熱する再熱部を有し、前記熱源から供給される熱媒体を前記冷却部に通過させた後に前記再熱部にも通過させて前記熱源に戻すことが可能に構成され、
前記熱媒体合流部は、前記外調機の前記冷却部と前記再熱部の両方を通過した熱媒体を、前記熱源から前記室内機に直接的に供給する熱媒体に合流させて前記室内機に供給するように構成されている請求項１に記載の空調システム。
【請求項３】
前記熱媒体合流部にて合流させる熱媒体流量を調整可能な合流量調整部が備えられている請求項１又は２に記載の空調システム。
【請求項４】
前記室内機における熱媒体入口温度を検出する室内機入口温度検出部と、前記室内機入口温度検出部の検出結果に基づいて前記合流量調整部を制御する制御部が備えられている請求項３に記載の空調システム。
【発明の詳細な説明】
【技術分野】
【０００１】
本発明は、外気を調整して室内に供給する外調機と、室内空気を調整して室内に供給する室内機と、熱源から前記外調機と前記室内機とに並列状態で熱媒体を循環供給する循環供給路とが備えられている空調システムに関する。
【背景技術】
【０００２】
この種の空調システムでは、特許文献１に示されるように、夏季等において、熱源（冷凍機５０）から外調機（冷却コイル３）と室内機（ドライコイル３０）とに冷水（熱媒体）を並列状態で循環供給し、外調機（冷却コイル３）にて外気を冷却除湿して低湿の給気を室内（Ｍ）に供給することで主として室内（Ｍ）の潜熱を処理し、室内機（ドライコイル３０）にて室内空気を冷却した給気を室内（Ｍ）に供給して室内（Ｍ）の顕熱を処理することが行われている（特許文献１の図３、段落００３０等参照）。
【先行技術文献】
【特許文献】
【０００３】
【特許文献１】特開２００５−２０７７１２号公報
【発明の概要】
【発明が解決しようとする課題】
【０００４】
上記特許文献１に記載の空調システムでは、熱源から外調機と室内機とに並列状態で冷水を循環供給するにあたり、外調機で用いる全ての冷水を熱源から外調機に直接的に供給し、室内機で用いる全ての冷水を熱源から室内機に直接的に供給しているので、熱源から外調機と室内機とに供給する冷水の総流量が比較的多くなる。しかも、室内機は複数備える場合があり、その場合には、室内機の数が増えるに連れて冷水の総流量が増えることになる。そのため、熱源から外調機と室内機とに供給する熱媒体の総流量を低減して省エネルギー化を図ることが望まれている。
【０００５】
この実情に鑑み、本発明の主たる課題は、熱源から外調機と室内機とに供給する熱媒体の総流量を低減して省エネルギー化を図ることができる空調システムを提供する点にある。
【課題を解決するための手段】
【０００６】
本発明の第１特徴構成は、外気を調整して室内に供給する外調機と、
室内空気を調整して室内に供給する室内機と、
熱源から前記外調機と前記室内機とに並列状態で熱媒体を循環供給する循環供給路とが備えられ、
前記外調機は、外気を冷却する冷却部を有し、前記循環供給路を通じて前記熱源から供給される熱媒体を前記冷却部に通過させて前記熱源に戻すように構成され、
前記外調機から前記熱源に戻す熱媒体の一部を、前記熱源から前記室内機に直接的に供給する熱媒体に合流させて前記室内機に供給する熱媒体合流部が備えられている点にある。
【０００７】
本構成によれば、熱源から外調機と室内機とに並列状態で熱媒体を循環供給するにあたり、外調機に供給されて外調機から熱源に戻される熱媒体の一部を、熱源から室内機に直接的に供給する熱媒体に合流させて室内機に供給するので、その合流分だけ熱源から室内機に直接的に供給する熱媒体流量を削減することができ、熱源から外調機と室内機とに供給する熱媒体の総流量を低減して省エネルギー化を図ることができる。
ここで、外調機では、外気を露点温度以下に冷却して除湿するのに対して、室内機では、室内空気を室内の目標温度に冷却すればよいので、室内機への最適な冷水の供給温度（熱媒体入口温度）は外調機への冷水の供給温度よりも高い温度となる。そのため、外調機への冷水の供給温度を熱源により外調機用目標温度（外気を冷却除湿するための温度）とした場合に、外調機から熱源に戻される熱媒体の一部を、熱源から室内機に直接的に供給する熱媒体に合流させても、室内機への熱媒体の供給温度は室内空気を室内の目標温度に冷却可能な温度に維持することができる。よって、外調機での外気の冷却除湿を適切に行うことができながら、室内機での室内空気の空調も適切に行うことができる。
しかも、このように外調機から熱源に戻される熱媒体の一部を、熱源から室内機に直接的に供給する熱媒体に合流させると、室内機への熱媒体の供給温度を変更することができるので、室内機や室内空気の状況等に応じて、室内機への熱媒体の供給温度を変更させて、室内機による室内空気の空調を好適に行うことができる。
【０００８】
本発明の第２特徴構成は、前記外調機は、前記冷却部にて冷却した外気を再熱する再熱部を有し、前記熱源から供給される熱媒体を前記冷却部に通過させた後に前記再熱部にも通過させて前記熱源に戻すことが可能に構成され、
前記熱媒体合流部は、前記外調機の前記冷却部と前記再熱部の両方を通過した熱媒体を、前記熱源から前記室内機に直接的に供給する熱媒体に合流させて前記室内機に供給するように構成されている点にある。
【０００９】
本構成によれば、外調機の冷却部を通過して温度上昇した熱媒体を、外調機の再熱部を通過させて温度低下させて幾分か温度を戻した上で、室内機に直接的に供給する熱媒体に合流させることができる。よって、室内機への熱媒体の供給温度を室内機用目標温度（外調機用目標温度よりも高い温度）に調整する場合に、再熱部にて温度低下させる分だけ、熱媒体を合流させる流量を増量することができる。よって、熱源から室内機に直接的に供給する熱媒体の流量を一層削減し、熱源から外調機と室内機とに供給する熱媒体の総流量を一層低減することができる。
【００１０】
本発明の第３特徴構成は、前記熱媒体合流部にて合流させる熱媒体流量を調整可能な合流量調整部が備えられている点にある。
【００１１】
本構成によれば、熱媒体合流部にて合流させる熱媒体流量を合流量調整部にて調整するシンプルな形態で、室内機における熱媒体入口温度の変更を可能にすることができる。
【００１２】
本発明の第４特徴構成は、前記室内機における熱媒体入口温度を検出する室内機入口温度検出部と、前記室内機入口温度検出部の検出結果に基づいて前記合流量調整部を制御する制御部が備えられている点にある。
【００１３】
本構成によれば、室内機入口温度検出部の検出結果に基づいて制御部にて合流量調整部を制御し、冷水合流部にて合流させる熱媒体流量を自動的に調整することができ、例えば、室内機における熱媒体入口温度を室内機用目標温度等の所望の温度に維持することが可能となる。
【図面の簡単な説明】
【００１４】
【図１】空調システムの第１実施形態の運転状態を示す図
【図２】空調システムの第２実施形態の運転状態を示す図
【図３】空調システムの第２実施形態の別の運転状態を示す図
【発明を実施するための形態】
【００１５】
本発明の空調システムの実施形態を図面に基づいて説明する。なお、各図において、熱媒体の通流していない流路を細実線で現し、熱媒体の通流している流路を太実線で現している。また、全閉状態にある弁を黒塗りで現し、それ以外の開き状態にある弁を白抜きで現している。更に、作動していないポンプを黒塗りで現し、作動しているポンプを白抜きで現している。
【００１６】
〔第１実施形態〕
図１は、本発明に係る空調システムの第１実施形態の運転状態を示している。同図１に示すように、この空調システムは、外気ＯＡを調整して給気ＳＡ１として室内に供給する外調機１０と、室内空気ＲＡを調整して給気ＳＡ２として室内に供給する室内機２０と、冷凍機等を有する熱源３０と、熱源３０から外調機１０と室内機２０とに並列状態で冷水（熱媒体の一例）を循環供給する循環供給路４０と、空調システムの各部の作動状態を制御する制御部５０等を備えて構成されている。なお、室内機２０は、図中に１つ示されているが複数であってもよい。
当該空調システムは、外調機１０にて外気ＯＡを冷却除湿して低湿の給気ＳＡ１を室内に供給することで主として室内の潜熱負荷を処理し、室内機２０にて室内空気ＲＡを冷却した給気ＳＡ２を室内に供給して室内の顕熱負荷を処理するように構成されている。
【００１７】
前記外調機１０は、外気ＯＡを冷却して除湿可能な冷却部１１、当該冷却部１１にて冷却した外気ＯＡを再熱可能な再熱部１２、当該再熱部１２にて再熱された外気ＯＡを給気ＳＡ１として送出する給気用ファン１３等を有しており、外気ＯＡを冷却部１１にて冷却除湿して再熱部１２にて適宜に再熱した上で給気ＳＡ１として室内に供給可能に構成されている。
冷却部１１は、外気ＯＡと冷水とを熱交換させて外気ＯＡを露点温度以下まで冷却可能な冷却コイルにて構成されている。再熱部１２は、冷却部１１にて冷却された外気ＯＡとそれよりも温度の高い冷水とを熱交換させて当該外気ＯＡを再熱可能な再熱コイルにて構成されている。
【００１８】
前記室内機２０は、室内空気ＲＡを冷却して温度を調整可能な冷却部２１と、当該冷却部２１にて冷却された室内空気ＲＡを給気ＳＡ２として送出する給気用ファン２２等を有しており、室内空気ＲＡを冷却部２１にて冷却した上で給気ＳＡ２として室内に供給可能に構成されている。
冷却部２１は、室内空気ＲＡと冷水とを熱交換させて室内空気ＲＡを冷却可能な冷却コイルにて構成されている。
【００１９】
前記熱源３０は、例えば、インバータ制御等により能力調整自在なターボ冷凍機や吸収冷凍機等と能力調整自在なポンプ等から構成され、差圧制御等により還り冷水を設定温度に冷却して設定温度の往き冷水を生成し、その冷水をポンプの吐出圧力にて循環供給路４０を循環させる。また、制御部５０は、例えば、通信部や演算部を備えたコンピュータ等から構成され、空調システムの各部との通信により空調システムの各部の作動状態を制御する。
【００２０】
前記循環供給路４０は、熱源３０から外調機１０と室内機２０とに冷水を並列に供給可能な往路４１、外調機１０を通過した冷水と室内機２０を通過した冷水とを合流させて熱源３０に戻す還路４２等を有している。
【００２１】
往路４１は、熱源３０から外調機１０への分岐箇所までの主往路部４１Ａ、当該分岐箇所から外調機１０の冷却部１１の熱媒体入口部までの外調機側往路部４１Ｂ、当該分岐箇所から室内機２０の冷却部１１の熱媒体入口部までの室内機側往路部４１Ｃ等から構成されている。この実施形態では、外調機側往路部４１Ｂには、外調機１０の再熱部１２に冷水を通過させる運転状態で作動させて、再熱部１２に冷水を通過させる際の圧損分を補填する能力調整自在なポンプＰ１が備えられている。
【００２２】
還路４２は、外調機１０側から合流箇所までの外調機側還路部４２Ｂ、室内機２０の冷却部２１の熱媒体出口部から合流箇所までの室内機側還路部４２Ｃ、合流箇所から熱源３０までの主還路部４２Ａ等から構成されている。
【００２３】
外調機１０は、図１に示すように、循環供給路４０を通じて熱源３０から供給される冷水を冷却部１１に通過させて熱源３０に戻すように構成されている。外調機１０は、再熱部１２による再熱が必要な場合には、循環供給路４０を通じて熱源３０から供給される冷水を冷却部１１に通過させた後に再熱部１２にも通過させて熱源３０に戻すことが可能であり、また、再熱部１２による再熱が不要な場合には、循環供給路４０を通じて熱源３０から供給される冷水を冷却部１１だけに通過させた後に熱源３０に戻すことが可能に構成されている。
【００２４】
外調機１０側には、冷却部１１の熱媒体出口部と外調機側還路部４２Ｂの上流端とを再熱部１２を経由して接続する接続路１４が備えられている。当該接続路１４は、冷却部１１の熱媒体出口部と再熱部１２の熱媒体入口部を接続する第１接続路１４Ａと、再熱部１２の熱媒体出口部と外調機側還路部４２Ｂの上流端とを接続する第２接続路１４Ｂを有している。よって、外調機１０は、熱源３０から主往路部４１Ａ、外調機側往路部４１Ｂを順に通過して供給される冷水を、冷却部１１、第１接続路１４Ａ、再熱部１２、第２接続路１４Ｂ、外調機側還路部４２Ｂ、主還路部４２Ａを順に通過させて熱源３０に戻すことができる。
【００２５】
また、外調機１０側には、第１接続路１４Ａの上流側から分岐し、再熱部１２をバイパスして第２接続路１４Ｂの下流側に合流するバイパス路１５が備えられている。よって、外調機１０は、熱源３０から主往路部４１Ａ、外調機側往路部４１Ｂを順に通過して供給される冷水を、冷却部１１、第１接続路１４Ａの上流側、バイパス路１５、第２接続路１４Ｂの下流側、外調機側還路部４２Ｂ、主還路部４２Ａを順に通過させて熱源３０に戻すことができる。
【００２６】
この空調システムには、再熱部１２に供給する冷水の流量を調整することで再熱部１２での再熱量を調整する第１再熱量調整部１６Ａが備えられており、制御部５０が、外調機１０等から取得する給気ＳＡ１の検出温度等の検出結果に応じて第１再熱量調整部１６Ａを制御することで、外調機１０から供給される給気ＳＡ１の温度を目標給気温度に調整することができる。
【００２７】
例えば、第１再熱量調整部１６Ａは、接続路１４に備えられた第１流量制御弁Ｖ１と、バイパス路１５に備えられた第２流量制御弁Ｖ２とから構成されており、再熱部１２を経由する接続路１４と再熱部１２をバイパスするバイパス路１５との間での冷水の分配比を変更して、再熱部１２に供給する冷水の流量を調整することで、再熱部１２での再熱量を調整する。
【００２８】
制御部５０は、外調機１０等から取得する給気ＳＡ１の検出温度を監視しており、給気ＳＡ１の検出温度に応じて、その検出温度が目標給気温度になるように、第１流量制御弁Ｖ１の開度を１００〜０％の範囲で制御し、且つ、第２流量制御弁Ｖ２の開度を０〜１００％の範囲で制御することで、前述した分配比を変更する形態で再熱部１２に供給する冷水の流量を調整して再熱部１２での再熱量を調整する。
【００２９】
例えば、制御部５０は、給気ＳＡ１の検出温度が目標給気温度よりも低い場合には、第１流量制御弁Ｖ１を開き側に制御し、第２流量制御弁Ｖ２を閉じ側に制御し、再熱部１２に供給する冷水の流量を増量して再熱部１２での再熱量を増量する。逆に、制御部５０は、給気ＳＡ１の検出温度が目標給気温度よりも高い場合には、第１流量制御弁Ｖ１を閉じ側に制御し、第２流量制御弁Ｖ２を開き側に制御し、再熱部１２に供給する冷水の流量を減量して再熱部１２での再熱量を減量する。
【００３０】
そして、この空調システムでは、外調機１０から熱源３０に戻す冷水（外調機１０にて冷熱が利用されて昇温された冷水）の一部を、熱源３０から室内機２０に直接的に供給する冷水であり、主往路部４１Ａ、室内機側往路部４１Ｃを通流する外調機用目標温度（外気ＯＡを冷却除湿するための温度）の冷水に合流させて室内機２０に供給する熱媒体合流部６０が備えられている。
【００３１】
そのため、この空調システムでは、熱媒体合流部６０による合流分だけ、熱源３０から外調機１０と室内機２０とに供給する冷水の総流量が低減されている。また、外調機１０への冷水の供給温度は熱源３０により外調機用目標温度に維持しながら、室内機２０への冷水の供給温度が昇温されて外調機用目標温度よりも高い室内機用目標温度（室内空気を除湿せずに室内の目標温度に冷却するための温度）に変更されている。
ちなみに、外調機１０から熱源３０に戻す冷水の残り分は、外調機側還路部４２Ｂ、主還路部４２Ａを順に通過して熱源３０に戻される。
以下、熱媒体合流部６０及びその関連構成について説明を加える。
【００３２】
前記熱媒体合流部６０は、外調機１０から熱源３０に戻す冷水として、外調機１０の冷却部１１と再熱部１２の両方を通過した冷水や、外調機１０の冷却部１１だけを通過した冷水を、熱源３０から室内機２０に直接的に供給する冷水に合流させて室内機２０に供給可能に構成されている。
【００３３】
ここで、外調機１０の冷却部１１と再熱部１２の両方を通過させると、冷水は、冷却部１１を通過して温度上昇した後、外調機１０の再熱部１２を通過して温度低下し、幾分か温度が戻されるので、外調機１０の冷却部１１だけを通過した冷水に比べて温度の低い冷水とすることができる。そのため、熱媒体合流部６０にて、外調機１０の冷却部１１と再熱部１２の両方を通過した冷水を、熱源３０から室内機２０に直接的に供給する冷水に合流させて室内機２０に供給する場合には、室内機２０への冷水の供給温度を室内機用目標温度（外調機用目標温度よりも高い温度）に調整する場合に要する冷水の合流量を再熱部１２にて温度低下させる分だけ増量することができ、熱源３０から外調機１０と室内機２０とに供給する冷水の総流量を一層低減することができる。
【００３４】
熱媒体合流部６０は、還路４２における外調機側還路部４２Ｂ（図示例では上流端）から分岐して往路４１における室内機側往路部４１Ｃに合流する第１合流路６１にて構成されている。そのため、第１合流路６１は、冷却部１１、第１接続路１４Ａ、再熱部１２、第２接続路１４Ｂを通過した冷水や、冷却部１１、第１接続路１４Ａの上流側、バイパス路１５、第２接続路１４Ｂの下流側を通過した冷水を、室内機側往路部４１Ｃを通流する冷水に合流させることができる。
【００３５】
更に、この空調システムでは、熱媒体合流部６０にて合流させる冷水の流量を調整可能な合流量調整部６２が備えられている。この合流量調整部６２は、第１合流路６１に備えられた流量制御手段としての第３流量制御弁Ｖ３にて構成されている。第３流量制御弁Ｖ３は、第１合流路６１の通流面積を変更して第１合流路６１を通流する冷水の流量を変更することで、室内機側往路部４１Ｃに合流させる冷水の流量を調整することができる。
【００３６】
また、室内機２０における熱媒体入口温度を検出する室内機入口温度センサＳ１（室内機入口温度検出部の一例）が備えられており、制御部５０は、室内機入口温度センサＳ１の検出結果に基づいて合流量調整部６２を制御し、熱媒体合流部６０にて合流させる冷水の流量を調整するように構成されている。
本実施形態では、制御部５０は、室内機入口温度センサＳ１の検出結果としての検出温度が外調機用目標温度よりも高い室内機用目標温度になるように、第３流量制御弁Ｖ３の開度を制御することで、第１合流路６１にて室内機側往路部４１Ｃに合流させる冷水の流量を調整するように構成されている。
【００３７】
例えば、制御部５０は、室内機入口温度センサＳ１の検出温度が室内機用目標温度よりも低いほど室内機側往路部４１Ｃに合流させる冷水の流量を増やし、室内機入口温度センサＳ１の検出温度が室内機用目標温度よりも高いほど室内機側往路部４１Ｃに合流させる冷水の流量を減らすように第３流量制御弁Ｖ３の開度を制御することで、第１合流路６１にて室内機側往路部４１Ｃに合流させる冷水の流量を調整し、室内機２０に供給される冷水の温度を室内機用目標温度に適切に調整することができる。
このように、この空調システムでは、第１合流路６１にて室内機側往路部４１Ｃに合流させる冷水の流量を室内機入口温度センサＳ１の検出結果に基づいて自動的に調整し、室内機２０における熱媒体入口温度を室内機用目標温度に適切に維持することができる。
【００３８】
〔第２実施形態〕
図２及び図３は、本発明に係る空調システムの第２実施形態の異なる運転状態を示している。この第２実施形態では、第１実施形態に対して、主に、図３に示すように室内機２０から熱源３０に戻す冷水の一部を外調機１０の再熱部１２に供給可能な第２合流路４３が追加されている。
【００３９】
そのため、この空調システムは、外調機１０の冷却部１１を通過した冷水を外調機１０の再熱部１２に供給する第１再熱用供給形態（図２参照）だけでなく、室内機２０から熱源３０に戻す冷水の一部を第２合流路４３を通じて外調機１０の再熱部１２に供給する第２再熱用供給形態（図３参照）でも、再熱部１２に冷水を供給することができる。
【００４０】
外気温が低過ぎるときなど、外調機１０の冷却部１１を通過した冷水では、温度上昇が不十分で再熱部１２での再熱が適切に行えない場合があり、このような場合に、図２に示す第１再熱用供給形態から図３に示す第２再熱用供給形態に切り替えることで、室内機２０から熱源３０に戻す最も温度の高い冷水の一部を外調機１０の再熱部１２に供給して外調機１０の再熱部１２での再熱を適切に行うことができる。
【００４１】
第２合流路４３は、循環供給路４０の室内機側還路部４２Ｃから分岐して外調機１０側の第１接続路１４Ａの下流側に合流する流路として構成されている。この第２合流路４３には、第２再熱用供給形態において室内機側還路部４２Ｃから冷水を取り出すためのポンプＰ２が備えられている。第２合流路４３は、ポンプＰ２が作動することにより、循環供給路４０の室内機側還路部４２Ｃから冷水を取り出し、その取り出した冷水を外調機１０側の第１接続路１４Ａの下流側に供給して、外調機１０の再熱部１２に供給することができる。
【００４２】
制御部５０は、外調機１０等から取得する給気ＳＡ１の検出温度を監視しており、図２に示す第１再熱用供給形態にて再熱部１２に冷水を供給している場合に、給気ＳＡ１の検出温度が下限温度未満になると、第1再熱用供給形態では冷水の温度が低過ぎると判断して図３に示す第２再熱用供給形態に切り替える。具体的には、制御部５０は、図２に示す第１再熱用供給形態から、第１流量制御弁Ｖ１を閉じ状態に変更し、第１再熱用供給形態での再熱部１２の圧損を補填するためのポンプＰ１を停止状態に変更し、ポンプＰ２を作動状態に変更することで、図３に示す第２再熱用供給形態に切り替える。
【００４３】
この第２再熱用供給形態では、図３に示すように、熱源３０からの冷水を、主往路部４１Ａ、外調機側往路部４１Ｂ、冷却部１１、第１接続路１４Ａの上流側、バイパス路１５、第２接続路１４Ｂの下流側、第１合流路６１、室内機側往路部４１Ｃ、室内機２０の冷却部２１、室内機側還路部４２Ｃを順に通過させて熱源３０に戻しながら、室内機側還路部４２Ｃにて熱源３０に戻す冷水（循環供給路４０中で最も温度の高い冷水）の一部を、第２合流路４３、第１接続路１４Ａの下流側を順に通流させて外調機１０の再熱部１２に供給することができる。
【００４４】
また、再熱部１２を通過した冷水が通流する第２接続路１４Ｂには、第２再熱用供給形態において再熱部１２に供給する冷水の流量を調整することで再熱部１２での再熱量を調整する第２再熱量調整部１６Ｂが備えられている。制御部５０が、第２再熱用供給形態において、外調機１０等から取得する給気ＳＡ１の検出温度等の検出結果に応じて第２再熱量調整部１６Ｂを制御することで、外調機１０から供給される給気ＳＡ１の温度を目標給気温度に調整することができる。
この第２再熱量調整部１６Ｂは、例えば、第２接続路１４Ｂに備えられた流量制御手段としての第４流量制御弁Ｖ４から構成されており、第２再熱用供給形態において第２接続路１４Ｂを通流する冷水の流量を調整して、再熱部１２に供給する冷水の流量を調整することで、再熱部１２での再熱量を調整する。
【００４５】
例えば、制御部５０は、給気ＳＡ１の検出温度が目標給気温度よりも低い場合には、第４流量制御弁Ｖ４を開き側に制御し、再熱部１２に供給する冷水の流量を増量して再熱部１２での再熱量を増量する。逆に、制御部５０は、給気ＳＡ１の検出温度が目標給気温度よりも高い場合には、第４流量制御弁Ｖ４を閉じ側に制御し、再熱部１２に供給する冷水の流量を減量して再熱部１２での再熱量を減量する。
【００４６】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４７】
（１）上記実施形態では、合流量調整部６２が、第１合流路６１に備えられた流量制御手段としての第３流量制御弁Ｖ３にて構成されている場合を例に示したが、これに代えて、外調機側還路部４２Ｂ（図示例では上流端）と第１合流路６１との分岐箇所に備えられ、外調機側還路部４２Ｂと第１合流路６１との間での冷水の分配比を変更可能な三方調整弁等で構成されていてもよく、各種の構成変更が可能である。
【００４８】
（２）上記実施形態では、第２再熱量調整部１６Ｂが、第２接続路１４Ｂに備えられた流量制御手段としての第４流量制御弁Ｖ４から構成されている場合を例に示したが、これに代えて、第２合流路４３に備えられたポンプＰ２を能力調整自在なものとし、このポンプＰ２の能力調整により、再熱部１２に供給する冷水の流量を調整して再熱部１２での再熱量を調整するように構成されていてよく、各種の構成変更が可能である。同様に第１再熱量調整部１６Ａについても各種の構成変更が可能である。
【符号の説明】
【００４９】
１０        外調機
１１        冷却部
１２        再熱部
２０        室内機
２１        冷却部
３０        熱源
４０        循環供給路
５０        制御部
６０        熱媒体合流部
６２        合流量調整部
ＯＡ        外気
ＲＡ        室内空気
【図１】
2019120464.tif 000003
【図２】
2019120464.tif 000004
【図３】
2019120464.tif 000005